(57)【特許請求の範囲】
【請求項１】
マトリクス状に配列された複数のパネルであって、各パネルは表示面にマトリクス状に配列された複数の画素を有する、複数のパネルと、
隣接するパネル間に設けられた継ぎ目部と、
前記継ぎ目部を覆い、前記継ぎ目部の近傍における前記パネルの画素が異方性を持って拡大または拡散される光学部材と、
前記継ぎ目部の近傍における隣接する前記パネルの画像を処理する駆動回路と、
を備え、
前記継ぎ目部は、横方向に隣接するパネル間に設けられた第１継ぎ目部と、縦方向に隣接するパネル間に設けられた第２継ぎ目部と、を備え、
前記光学部材は、前記第１継ぎ目部を覆い、前記第１継ぎ目部の近傍における前記パネルの画素が第１方向に拡大または拡散される第１光学部材と、前記第２継ぎ目部を覆い、前記第２継ぎ目部の近傍における前記パネルの画素が第２方向に拡大または拡散される第２光学部材と、を備え、
前記第１光学部材の前記第１方向がパネルの縦方向に対して傾いた方向であり、前記第２光学部材の前記第２方向がパネルの縦方向に対して傾いた方向である映像表示装置。
【請求項２】
マトリクス状に配列された複数のパネルであって、各パネルは表示面にマトリクス状に配列された複数の画素を有する、複数のパネルと、
隣接するパネル間に設けられた継ぎ目部と、
前記継ぎ目部を覆い、前記継ぎ目部の近傍における前記パネルの画素が異方性を持って拡大または拡散される光学部材と、
前記継ぎ目部の近傍における隣接する前記パネルの画像を処理する駆動回路と、
を備え、
前記継ぎ目部は、横方向に隣接するパネル間に設けられた第１継ぎ目部と、縦方向に隣接するパネル間に設けられた第２継ぎ目部と、を備え、
前記光学部材は、前記第１継ぎ目部を覆い、前記第１継ぎ目部の近傍における前記パネルの画素が第１方向に拡大または拡散される第１光学部材と、前記第２継ぎ目部を覆い、前記第２継ぎ目部の近傍における前記パネルの画素が第２方向に拡大または拡散される第２光学部材と、を備え、
前記第１光学部材は前記第１継ぎ目部の中心線に対して線対称に配置され、
前記第２光学部材は前記第２継ぎ目部の中心線に対して線対称に配置され、
前記第１および第２光学部材は、前記第１継ぎ目部の中心線と前記第２継ぎ目部の中心線との交点に関して、点対称に配置され、
前記複数のパネルは２行２列に配置された４個のパネルであり、
前記第１光学部材の前記第１方向がパネルの縦方向に平行な方向であり、
前記第２光学部材の前記第２方向がパネルの縦方向に対して傾いた方向である映像表示装置。
【請求項３】
マトリクス状に配列された複数のパネルであって、各パネルは表示面にマトリクス状に配列された複数の画素を有する、複数のパネルと、
隣接するパネル間に設けられた継ぎ目部と、
前記継ぎ目部を覆い、前記継ぎ目部の近傍における前記パネルの画素が異方性を持って拡大または拡散される光学部材と、
前記継ぎ目部の近傍における隣接する前記パネルの画像を処理する駆動回路と、
を備え、
前記継ぎ目部は、横方向に隣接するパネル間に設けられた第１継ぎ目部と、縦方向に隣接するパネル間に設けられた第２継ぎ目部と、を備え、
前記光学部材は、前記第１継ぎ目部を覆い、前記第１継ぎ目部の近傍における前記パネルの画素が第１方向に拡大または拡散される第１光学部材と、前記第２継ぎ目部を覆い、前記第２継ぎ目部の近傍における前記パネルの画素が第２方向に拡大または拡散される第２光学部材と、を備え、
前記第１および第２光学部材は前記第２継ぎ目部の中心線に対して線対称に配置され、前記第１および第２光学部材は、前記第１継ぎ目部の中心線と前記第２継ぎ目部の中心線との交点に関して、点対称ではない映像表示装置。
【請求項４】
前記複数のパネルは３行３列以上に配置された９個以上のパネルであり、
前記第１光学部材の前記第１方向がパネルの縦方向に平行な方向であり、
前記第２光学部材の前記第２方向がパネルの縦方向に対して傾いた方向である請求項３記載の映像表示装置。
【請求項５】
前記第１光学部材は、前記第１継ぎ目部の中心線に対して、上側に位置する第１サブ光学部材と下側に位置する第２サブ光学部材とを有し、
前記第１および第２サブ光学部材はそれぞれパネルの縦方向に平行な方向に拡大または拡散する機能を有し、かつ前記第１および第２サブ光学部材は前記第１継ぎ目部の中心線に対して、線対称に配置され、
前記第２光学部材は、前記第２継ぎ目部の中心線に対して左側に位置する第３サブ光学部材と、前記第２継ぎ目部の前記中心線に対して右側に位置する第４サブ光学部材とを有し、
前記第１サブ光学部材は、前記パネルの左上と右下を結ぶ方向に拡大または拡散する機能を有し、
前記第２サブ光学部材は、前記パネルの右上と左下を結ぶ方向に拡大または拡散する機能を有している請求項３または４記載の映像表示装置。
【請求項６】
前記駆動回路は、輝度が低下する画素における映像に対して、輝度を増大する処理を行う請求項１乃至５のいずれかに記載の映像表示装置。
【発明の詳細な説明】
【技術分野】
【０００１】
本発明の実施形態は、映像表示装置に関する。
【背景技術】
【０００２】
複数のパネルを平面的に並べて接続した映像表示装置は数多く知られている。これらの映像表示装置の一例においては、パネルの継ぎ目部分の映像に対する妨害を低減するために、パネルの画素部を覆うことがないように、パネルの継ぎ目をレンズ、プリズム、ファイバ等の光学素子で覆っている。
【０００３】
しかし、従来の映像表示装置では、一方向、例えば、縦方向および横方向のうちのいずれか一方の方向にパネルを貼り合わせることが多く行われており、二方向にパネルを貼り合わせて形成される映像表示装置において継ぎ目部分の妨害を十分に低減する方法は知られていない。
【０００４】
また、従来の映像表示装置では、各パネルに設けられるカラーフィルタの配列を考慮して継ぎ目部分を光学素子で覆っていないので、継ぎ目部分で特定の色成分が大きく拡大されてしまうなど映像が正常に表示されず、映像部分に対する妨害を低減できない。
【０００５】
裸眼方式で立体映像が表示可能な複数のパネルを平面的に並べて接続した映像表示装置に関しては、継ぎ目部分を光学素子で覆うことは知られていない。また、立体映像は複数の視差画像を有するので、パネルの継ぎ目部分にどのような光学素子を用いて視差画像を表示するかについても知られていない。
【先行技術文献】
【特許文献】
【０００６】
【特許文献１】特開２００９−０４２４０７号公報
【発明の概要】
【発明が解決しようとする課題】
【０００７】
本実施形態は、映像に対する継ぎ目部分における妨害を低減することができる映像表示装置を提供する。
【課題を解決するための手段】
【０００８】
本実施形態による映像表示装置は、マトリクス状に配列された複数のパネルであって、各パネルは表示面にマトリクス状に配列された複数の画素を有する、複数のパネルと、横方向に隣接するパネル間に設けられた第１継ぎ目部と、縦方向に隣接するパネル間に設けられた第２継ぎ目部と、前記第１継ぎ目部を覆い、前記第１継ぎ目部の近傍における前記パネルの画素が第１方向に拡大または拡散される第１光学部材と、前記第２継ぎ目部を覆い、前記第２継ぎ目部の近傍における前記パネルの画素が第２方向に拡大または拡散される第２光学部材と、を備え、前記第１光学部材の前記第１方向がパネルの縦方向に対して傾いた方向であり、前記第２光学部材の前記第２方向がパネルの縦方向に対して傾いた方向である。
【図面の簡単な説明】
【０００９】
【図１】第１実施形態による映像表示装置を示す正面図。
【図２】図２（ａ）、２（ｂ）は、第１実施形態に用いられる光学部材を示す図。
【図３】図３（ａ）、３（ｂ）は、立体表示用の光学的開口部の具体例を示す図。
【図４】第２実施形態による映像表示装置を示す正面図。
【図５】第２実施形態の変形例による映像表示装置を示す正面図。
【図６】第３実施形態による映像表示装置を示す正面図。
【図７】各実施形態に用いられる駆動回路を説明する図。
【図８】図８（ａ）乃至図８（ｃ）は、縦方向に隣接されて配置されたパネルの端部の画素が拡大される場合を説明する図。
【図９】図９（ａ）乃至図９（ｃ）は、横方向に隣接して配置されたパネルの端部の画素が拡大される場合を説明する図。
【図１０】図１０（ａ）乃至図１０（ｃ）は、各実施形態の映像表示装置において、光学部材としてシリンドリカルレンズを用いた場合の変形例を説明する図。
【発明を実施するための形態】
【００１０】
以下に図面を参照して実施形態について説明する。
【００１１】
（第１実施形態）
第１実施形態による映像表示装置を図１に示す。この実施形態の映像表示装置１は、４つのパネル２１〜２４を有し、これらのパネル２１〜２４が２行２列（２×２）に配置されている。各パネル２ｉ（ｉ＝１〜４）は、表示面にマトリクス状に配列されたＲ（赤）、緑（Ｇ）、青（Ｂ）のサブ画素を含む複数の画素を備えている。パネルは表示面に画素がマトリクス状に配列されているものであれば、直視型や投影型の液晶表示パネル、プラズマ表示パネル、電界放出型パネル、または有機ＥＬ表示パネルであってもよい。
【００１２】
パネル２１とパネル２３との間およびパネル２２とパネル２４との間に継ぎ目部１０１が設けられ、パネル２１とパネル２２との間およびパネル２３とパネル２４との間に継ぎ目１０２が設けられている。すなわち、継ぎ目部１０１は横方向の継ぎ目部であり、継ぎ目部１０２は縦方方向の継ぎ目部である。なお、継ぎ目部１０１と継ぎ目部１０２とが重なる部分は、継ぎ目部１０２とする。すなわち、継ぎ目部１０２の両側にそれぞれ継ぎ目部１０１が設けられている。
【００１３】
本実施形態においては、継ぎ目部１０１にはこの継ぎ目部１０１の近傍におけるパネル２１〜２４の端部の画素が一方向に異方性を持って拡大または拡散されるように複数の光学部材２０１が設けられ、継ぎ目部１０２にはこの継ぎ目部１０２の近傍におけるパネル２１〜２４の端部の画素が一方向に異方性を持って拡大または拡散されるように複数の光学部材２０２が設けられている。すなわち、光学部材２０１、２０２はそれぞれ、拡大率または拡散率に異方性を有している。図１では、各パネル２ｉ（ｉ＝１〜４）の縦方向（画素配列の列方向）から傾いた方向に異方性を有している、例えば、光学部材２０２に示す矢印が継ぎ目部１０２に隣接する画素が拡大または拡散される方向を示している。なお、光学部材２０１、２０２はそれぞれ、拡大または拡散される方向と直交する方向には、ほとんど拡大または拡散されない。光学部材２０１、２０２のそれぞれによって、パネル２１〜２４の端部の少なくとも１個の画素が拡大または拡散される。光学部材２０１、２０２としては、例えば、シリンドリカルレンズや異方性拡散フィルムが用いられる。図２（ａ）に光学部材２０１、２０２がシリンドリカルレンズである場合を示し、図２（ｂ）に光学部材２０１、２０２が異方性拡散フィルムである場合を示す。図２（ａ）、２（ｂ）に示す矢印の方向が異方性の方向を示している。図２（ａ）に示すように、光学部材２０１、２０２がシリンドリカルレンズの場合は矢印の方向に曲面あるいは屈折率分布がある。なお、図１では、光学部材２０１、２０２は継ぎ目部１０１、１０２の一部上にしか表示されていないが、実際は全ての継ぎ目部１０１、１０２上に設けられる。また、図１では細かい光学部材に分けて描かれているが、全体あるいは一部が結合されて一体に形成されているものでもよく、端部が直線状に揃えられていてもよい。
【００１４】
このように、本実施形態においては、パネル２１〜２４の横方向および縦方向の継ぎ目部１０１、１０２のそれぞれには、各継ぎ目部付近のパネルの端部の画素が一方向に異方性を持って拡大または拡散されるように複数の光学部材２０１、２０２が設けられているので、映像に対する継ぎ目部分における妨害を低減することができる。
【００１５】
また、各パネル２ｉ（ｉ＝１〜４）が裸眼方式の立体映像表示が可能となるように、パネルの表示面の縦方向に対して斜めに傾いた方向に光学的開口が延在する光学的開口部が各パネルの前面に設置されている場合を考える。この場合、光学的開口の延在する方向が、光学部材の図１に示す矢印の方向（光学部材の異方性を示す方向）になるように、光学的開口部が光学部材よりもパネルの表示面の近くに配置される。光学的開口部としては、例えばレンチキュラーシート（シリンドリカルレンズアレイ）またはバリアが挙げられる。光学的開口部が、複数のシリンドリカルレンズ３１からなるレンチキュラーシート３０ａである場合の斜視図を図３（ａ）に示し、バリア３０ｂである場合の斜視図を図３（ｂ）に示す。図３（ａ）、３（ｂ）において、２はパネルを示し、Ｐｓは光学的開口部のピッチを示す。また、図３（ｂ）において、Ｐｐはバリア３０ｂの開口部のサイズを示す。
光学的開口部がレンチキュラーシート３０ａである場合には、レンチキュラーシートに含まれるシリンドリカルレンズ３１の稜線が、図１に示す矢印の方向（光学部材の異方性を示す方向）になるように、レンチキュラーが光学部材よりもパネルの表示面の近くに設置されている。それぞれの光学部材２０ｉ（ｉ＝１〜４）の幅は、裸眼立体視用のシリンドリカルレンズあるいはバリアのピッチと必ずしも一致していなくてもよい。
【００１６】
このように、各パネル２０ｉ（ｉ＝１〜４）が、レンチキュラーシートを用いて左右方向のみ視差を持つ裸眼方式の立体表示が可能な場合、光学部材２０１、２０２によって拡大または拡散される画素の一方向は、視差のない方向、例えばシリンドリカルレンズの稜線方向や、バリアの開口の方向であることが好ましい。裸眼方式の立体表示用のレンチキュラーシートやバリアは、アクティブレンズやアクティバリアであってもよい。アクティブレンズは、立体映像を表示する際にはレンズとしての機能を有し、２次元映像を表示する際には光を真っ直ぐに透過する機能を有している。また、アクティブバリアは、立体映像を表示する際にはバリアとしての機能を有し、２次元映像を表示する際には光を真っ直ぐに透過する機能を有している。
【００１７】
図１はパネルが２行２列（２×２）に配置された構成を示しているが、３行３列（３×３）以上に配置された構成にも対応できる。
【００１８】
このような光学的開口部をパネルの前面に設ける構成により、裸眼方式の立体表示においても、継ぎ目部分に視差を付与することができ、継ぎ目部分が立体視の妨害となることを避けることができる。
【００１９】
（第２実施形態）
第２実施形態による映像表示装置を図４に示す。この第２実施形態の映像表示装置１Ａは、図１に示す第１実施形態の映像表示装置と同様に、４つのパネル２１〜２４を有し、これらのパネル２１〜２４が２行２列（２×２）に配置されている。しかし、この第２実施形態の映像表示装置は、裸眼方式の立体表示には対応していない。この第２実施形態では、各パネル２ｉ（ｉ＝１〜４）は、表示面に縦ストライプのカラーフィルタが配列されている。すなわち、表示面にＲ画素、Ｇ画素、Ｂ画素がそれぞれ縦方向に配列されている。このため、左右方向の継ぎ目部分１０２近傍では、パネルの表示面のカラー配列が表示面端と平行となっており、継ぎ目部分１０２近傍の画素を、光学部材を用いて左右方向に拡大すると、色成分が拡大されてしまい、精細度が大幅に低下する。
【００２０】
そこで、第２実施形態では、図４に示すように、継ぎ目部１０１に設けられる光学部材２０１は、光学部材２０１の近傍におけるパネルの画素を縦方向に拡大または拡散し、継ぎ目部１０２に設けられる光学部材２０２は、斜め方向に拡大するように構成される。すなわち、光学部材２０１としては、例えばシリンドリカルレンズまたは異方性拡散フィルムを用い、光学部材２０２としては、例えばシリンドリカルレンズを用いる。なお、第２実施形態の変形例のように、光学部材２０２として、異方性拡散フィルムを用いることも可能である。この変形例の映像表示装置１Ａａにおいては、図５に示すように、左右方向の継ぎ目部１０２近傍の画素を左右方向に拡大する。この変形例のように、左右方向の継ぎ目部１０２近傍の画素を左右方向に拡大しても問題なく、構造も単純で厚さの増加も少なくて済む。しかし、レンズを用いて拡大した方が、拡大した部分の拡大方向にも数画素の表示を行うことが可能である。拡大されない方向（拡大される方向と直交する方向）には、パネルの表示面の画素ピッチと同じ精細度の表示が可能であり、精細度の低下は最小限に抑えることができる。
【００２１】
この第２実施形態においては、図４、図５に示すように、４つのパネル２１〜２４の共通のコーナー部分では、光学部材の異方性あるいは形状が上記コーナー部で異なる、あるいは、コーナー部に近づくにつれて、光学部材２０１、２０２の一方から他方へ変化する構造を有している。例えば、レンズの厚さあるいはパネルの表示面からの距離あるいは角度が変化する構造、プリズムやミラーの角度が変化する構造、異方性拡散フィルムの異方性の方向および異方性の強度のうちの少なくとも一つが変化している構造等を用いることができる。なお、図４、図５では、光学部材２０１、２０２は継ぎ目部１０１、１０２の一部上にしか表示されていないが、実際は全ての継ぎ目部１０１、１０２上に設けられる。また、図４、図５では細かい光学部材に分けて描かれているが、全体あるいは一部が結合されて一体に形成されているものでもよい。
【００２２】
このように、この第２実施形態では、光学部材２０１、２０２は、継ぎ目部１０１の中心線１２１と継ぎ目部１０２の中心線１２２との交点に関して点対称に配置される。また、光学部材２０１、２０２は、継ぎ目部１０１の中心線１２１に対して線対称に配置されるとともに、継ぎ目部１０２の中心線１２２に対して線対称に配置される。
【００２３】
以上説明したように、第２実施形態においても、第１実施形態と同様に、パネル２１〜２４の横方向および縦方向の継ぎ目部１０１、１０２のそれぞれには、各継ぎ目部付近のパネルの端部の画素が一方向に異方性を持って拡大または拡散されるように複数の光学部材２０１、２０２が設けられているので、映像に対する継ぎ目部分における妨害を低減することができる。
【００２４】
（第３実施形態）
第３実施形態による映像表示装置を図６に示す。この第３実施形態の映像表示装置１Ｂは、裸眼方式の立体表示に対応しない２次元映像表示専用のパネルが３行３列（３×３）以上に配置された構成を有している。なお、図６では、２行２列に配置された４個のパネル２１〜２４を表している。この第３実施形態においては、第１または第２実施形態と同様に、継ぎ目部１０１に光学部材２０１が設けられ、継ぎ目部１０２に光学部材２０２が設けられる。これらの光学部材２０１、２０２は、継ぎ目部１０２の中心線１２２に対して線対称に配置される。しかし、第２実施形態と異なり、継ぎ目部１０１の中心線１２１と継ぎ目部１０２の中心線１２２との交点に関して、点対称となるように配置されない。
すなわち、光学部材２０１は縦方向に拡大または拡散する機能を有している。光学部材２０１に関しては、継ぎ目部１０１の中心線１２１に対して、上側に位置する光学部材２０１と下側に位置する光学部材２０１は、パネルの縦方向に平行な方向に拡大または拡散する機能を有している。また、継ぎ目部１０１の中心線１２１に対して、上側に位置する光学部材２０１と下側に位置する光学部材２０１は、中心線１２１に対して、線対称となるように配置される。
【００２５】
一方、光学部材２０２に関しては、継ぎ目部１０２の中心線１２２に対して左側に位置する光学部材２０２は例えばパネルの左上と右下を結ぶ方向に拡大または拡散する機能を有し、継ぎ目部１０２の中心線１２２に対して右側に位置する光学部材２０２は例えばパネルの右上と左下を結ぶ方向に拡大または拡散する機能を有している。なお、図６では、光学部材２０１、２０２は継ぎ目部１０１、１０２の一部上にしか表示されていないが、実際は全ての継ぎ目部１０１、１０２上に設けられる。また、図６では細かい光学部材に分けて描かれているが、全体あるいは一部が結合されて一体に形成されているものでもよい。
【００２６】
このように、第３実施形態においては、光学部材２０１、２０２は、継ぎ目部１０２の中心線１２２に対して線対称に配置されるが、継ぎ目部１０１の中心線１２１と継ぎ目部１０２の中心線１２２との交点に関して、点対称となるように配置されない。このため、パネルを３×３以上の配列で繋ぎ合わせる場合に対応できる。しかし、図４に示す第２実施形態または図５に示すその変形例の映像表示装置においては、パネルを２×２の配列で繋ぎ合わせる場合に対応できるが、３×３以上の配列で繋ぎ合わせる場合に対応できない。
【００２７】
以上説明したように、第３実施形態においても、第１実施形態と同様に、パネル２１〜２４の横方向および縦方向の継ぎ目部１０１、１０２のそれぞれには、各継ぎ目部付近のパネルの端部の画素が一方向に異方性を持って拡大または拡散されるように複数の光学部材２０１、２０２が設けられているので、映像に対する継ぎ目部分における妨害を低減することができる。
【００２８】
第１乃至第３実施形態またはその変形例の映像表示装置においては、拡大された部分に補間された画像が表示されるよう、パネルの表示面の端部の画像や、その輝度レンジが処理される。この処理は、図７に示すように、映像表示装置、例えば映像表示装置１を駆動する駆動回路５０によって行われる。なお、この駆動回路５０は、映像表示装置１に内蔵されていてもよい。また、光学部材によって輝度が低下する場合には、上記駆動回路５０によって輝度が低下する画素における映像に対して、輝度を増大する処理が行われる。この輝度の増大は、各パネルが液晶表示パネルの場合は、バックライトの強度を補正することによって行ってもよい。例えば、エッジ部分のみバックライトの強度が高くなるように光源が増設される。
【００２９】
上記第１乃至第３実施形態またはその変形例においては、図８（ａ）に示すように、上下に隣接するパネル例えばパネル２１、２３は、継ぎ目部１０１を挟んで配置される。継ぎ目部１０１に隣接するパネル２１の画素、例えば、図８（ａ）において波線で囲まれた画素は、図８（ｂ）あるいは図８（ｃ）に示すように、光学部材によって拡大される。図８（ｂ）は第２実施形態、その変形例、または第３実施形態の映像表示装置において行われる場合を示し、図８（ｃ）は第１実施形態の映像表示装置において行われる場合を示す。したがって、拡大された形状の領域における画像を平均化したものを、拡大される画素に表示するような画像処理を行えばよい。この画像処理は、図７に示す駆動回路５０によって行うことができる。拡大対象となる画素は複数行であってもよく、レンズを用いて拡大する場合、適当にデフォーカスされていれば、拡大された領域において、拡大方向に数画素を表示することも可能となる。このように、拡大方向に数画素を表示する場合は、拡大されたそれぞれの領域における画像を平均化したものを、拡大される画素に表示するような画像処理を行えばよい。この場合の画像処理も図７に示す駆動回路によって行うことができる。
【００３０】
上記第１乃至第３実施形態またはその変形例においては、図９（ａ）に示すように、左右に隣接するパネル例えばパネル２１、２２は、継ぎ目部１０２を挟んで配置される。継ぎ目部１０２に隣接するパネル２１の画素、例えば、図９（ａ）において波線で囲まれた画素は、図９（ｂ）あるいは図９（ｃ）に示すように、光学部材によって拡大される。図９（ｂ）は第２実施形態、その変形例の映像表示装置において行われる場合を示し、図９（ｃ）は第１実施形態、第２実施形態、または第３実施形態の映像表示装置において行われる場合を示す。したがって、拡大された形状の領域における画像を平均化したものを、拡大される画素に表示するような画像処理を行えばよい。この画像処理は、図７に示す駆動回路５０によって行うことができる。
【００３１】
光学部材２０１、２０２はある程度厚みがあるため、ユーザ（視聴者）の位置による視差によって見え方が変化する。これを防止するために、パネルにカメラを搭載しユーザ位置を検出するユーザトラッキングシステムを併用し、ユーザの位置によって視差が補償されるように処理内容を補正してもよい。この補正処理は図７に示す駆動回路によって行うことができる。
【００３２】
次に、第１乃至第３実施形態のいずれかの映像表示装置において、光学部材としてシリンドリカルレンズアレイ（レンチキュラーシート）を用いる場合の変形例を図１０（ａ）乃至図１０（ｃ）に示す。図１０（ａ）乃至図１０（ｃ）は各変形例における光学部材近傍の断面図である。図１０（ａ）乃至図１０（ｃ）において、斜線部はパネル２１、２２の表示領域（上下端あるいは左右端）を示し、縦の破線２４は２つの光学部材（シリンドリカルレンズ）２０１、２０２の境界線である。光学部材のシリンドリカルレンズと併用して、図１０（ａ）に示すように、ロンボイドプリズム（菱形プリズム）あるいはそれに相当するミラー対４０１、４０２を設けてもよい。また、図１０（ｂ）に示すようにアナモルフィックプリズム対４２ａ１、４２ｂ１、４２ａ２、４２ｂ２を設けてもよい。また、図１０（ｃ）に示すように、ウェッジプリズム４４ａ１、４４ｂ１、４４ａ２、４４ｂ２を設けてもよい。このような光学素子をシリンドリカルレンズとパネルの表示面との間に設けることにより、シリンドリカルレンズの光軸をシフトさせることができる。また、シリンドリカルレンズの上面あるいは下面に拡散層を併用してもよく、その場合、視域を拡大できる場合がある。
【００３３】
上記第１乃至第３実施形態またはその変形例において、光学部材として、アクティブレンズ（液晶ＧＲＩＮレンズ等）、アクティブプリズム、アクティブ拡散層（ＰＤＬＣ）、着脱構造などを用いることにより、継ぎ目が見える状態（各画面を連結せず独立に表示する場合）と見えない状態（各画面を連結して１つの大画面として表示する場合）を切り替えてもよい。
【００３４】
また、ストライプ配列でないカラー（フィルタ）配列（モザイク、ペンタイル、他）を用いれば、図５に示すように、光学部材を斜めにしない構成とすることができ、単純な構造にできる。
【００３５】
以上説明したように、上記各実施形態およびその変形例によれば、パネル２１〜２４の横方向および縦方向の継ぎ目部１０１、１０２のそれぞれには、各継ぎ目部付近のパネルの端部の画素が一方向に異方性を持って拡大または拡散されるように複数の光学部材２０１、２０２が設けられているので、映像に対する継ぎ目部分における妨害を低減することができる。
【００３６】
また、特定の色が拡大されることなく、パネルが３×３配列された場合の中央部のパネルも含め精細度の大幅な低下を抑制することができる。
【００３７】
また、裸眼方式の映像表示パネルを用いた場合には、継ぎ目部分にも視差を付与することができる。
【００３８】
また、特殊で高価な光学部材を用いることなく、継ぎ目部分の妨害を低減できる。
【００３９】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４０】
１、１Ａ、１Ａａ、１Ｂ  映像表示装置
２  パネル
２１〜２４  パネル
１０１、１０２  継ぎ目部
１２１、１２２  継ぎ目部の中心線
２０１、２０２  光学部材
【図１】
0005744106.tif 000002
【図２】
0005744106.tif 000003
【図３】
0005744106.tif 000004
【図４】
0005744106.tif 000005
【図５】
0005744106.tif 000006
【図６】
0005744106.tif 000007
【図７】
0005744106.tif 000008
【図８】
0005744106.tif 000009
【図９】
0005744106.tif 000010
【図１０】
0005744106.tif 000011